(57)【要約】【課題】  商品を収容し易く、使用者の負担を軽減することのできる買物用かごを提供する。【解決手段】  本発明は、底面１２と底面１２の外縁部に立設された周壁部１３とから成り、上面が開口されたかご本体１４と、かご本体１４に枢設された把手１５，１５’とを備えた買物用かご１１であって、周壁部１３の互いに対向する側面のうちの少なくとも一方の側面１６には、使用者の身体の部位が整合可能なように内側に湾曲した無孔部材から成る凹部１７が形成されており、対向する各側面１６，１９の間には少なくとも２つの仕切壁２０が互いに平行に渡設され、各仕切壁２０と対向する各側面１６，１９とによりかご本体１４の中央部に中央収容空間２１が形成され、中央収容空間２１には鋭角な入隅部２４，２５，３０，３１が形成されている。【選択図】  図１
2006076595.tif 000002
【特許請求の範囲】
【請求項１】
底面と該底面の外縁部に立設された周壁部とから成り、上面が開口されたかご本体と、該かご本体に枢設された把手とを備えた買物用かごであって、
前記周壁部の互いに対向する側面のうちの少なくとも一方の側面には、使用者の身体の部位が整合可能なように内側に湾曲した無孔部材から成る凹部が形成されており、前記対向する各側面の間には少なくとも２つの仕切壁が互いに平行に渡設され、該各仕切壁と前記対向する各側面とにより前記かご本体の中央部に中央収容空間が形成され、該中央収容空間には鋭角な入隅部が形成されていることを特徴とする買物用かご。
【請求項２】
前記把手は２つ設けられており、一方の把手はその両端部が前記対向する各側面のうちの一方の側面に枢設され、他方の把手はその両端部が前記対向する各側面のうちの他方の側面に枢設されており、少なくとも前記一方の把手は前記凹部に設けられている請求項１に記載の買物用かご。
【発明の詳細な説明】
【技術分野】
【０００１】
本発明は、買物用かごに関し、特に、使用者の身体の部位が整合可能な凹部を側面に備えた買物用かごに関する。
【背景技術】
【０００２】
従来、スーパーマーケットの店内等に配備される買物用かごとして、腰や脚等、使用者の身体の部位が整合可能なように側面に凹部を形成させた買物用かごが考案されている。この種の買物用かご１は、図５に示すように、底面と該底面の外縁部に立設された周壁部２とから成るかご本体３と、かご本体３に枢設された２つの把手４とから構成されている。そして、かご本体３は、上面が開口された横長形状を成し、周壁部２の一側面５には、人体の部位が整合可能なように凹部６が内側に湾曲して形成されており、把手４はその両端部を支点にしてかご本体３の長手方向に沿って回動自在となっている。（例えば、特許文献１参照）
【特許文献１】実用新案登録第３０６４３２０号公報
【発明の開示】
【発明が解決しようとする課題】
【０００３】
しかしながら、上記した従来の買物用かご１では、凹部６が内側に湾曲して形成されているため、内部の収容スペースが複雑な形状となり、商品を収容し難いといった問題があった。
【０００４】
また、把手４はかご本体３の長手方向に沿って回動するように設けられているため、凹部６を使用者の身体の部位に整合させて把手４を握るには、腕を９０度捻って掌を前方又は後方に向かせなければならず、使用者に無理な姿勢を強い、過度な負担を与えるといった問題があった。
【０００５】
本発明は、上記した課題を解決すべくなされたものであり、商品を収容し易く、使用者の負担を軽減することのできる買物用かごを提供しようとするものである。
【課題を解決するための手段】
【０００６】
本発明は、底面と該底面の外縁部に立設された周壁部とから成り、上面が開口されたかご本体と、該かご本体に枢設された把手とを備えた買物用かごであって、前記周壁部の互いに対向する側面のうちの少なくとも一方の側面には、使用者の身体の部位が整合可能なように内側に湾曲した無孔部材から成る凹部が形成されており、前記対向する各側面の間には少なくとも２つの仕切壁が互いに平行に渡設され、該各仕切壁と前記対向する各側面とにより前記かご本体の中央部に中央収容空間が形成され、該中央収容空間には鋭角な入隅部が形成されている。
【０００７】
そして、前記把手は２つ設けられており、一方の把手はその両端部が前記対向する各側面のうちの一方の側面に枢設され、他方の把手はその両端部が前記対向する各側面のうちの他方の側面に枢設されており、少なくとも前記一方の把手は前記凹部に設けられているのがよい。
【発明の効果】
【０００８】
本発明によれば、かご本体の内部が仕切壁により仕切られることにより、収容スペースが細分化され、収容し易い形状となるため、買物用かごに商品を効率良く収容することができる。
【０００９】
また、中央収納空間に鋭角な入隅部が形成されることにより、瓶等の縦長形状の商品を起立姿勢で確実に保持させることができるため、瓶等の割れ物を買物用かご内で転倒させることなく、安定性よく保持することができ、割れ物を破損させるおそれもなくなる。
【００１０】
さらに、かご本体の中央部に中央収納空間を形成させ、その中央収納空間に、例えば、比較的重量のある商品を収納させることにより、買物用かごに商品をバランス良く収容させることができ、買物を快適に行うことができる。
【００１１】
さらにまた、一方の把手の両端部が一方の側面に枢設されると共に他方の把手の両端部が他方の側面に枢設されているため、使用者は、腕を捻ることなく、自然な姿勢で把手を握ることにより、凹部を身体の部位に整合させることができる。したがって、買物用かごの所持動作による使用者の疲労感を軽減させることができ、使用者は買物を快適に行なうことができる。
【００１２】
さらに、少なくとも一方の把手が凹部に設けられることにより、各把手同士の距離が短縮されるため、把手の把持動作が容易となり、使用者の負担を軽減することができる等、種々の優れた効果を得ることができる。
【発明を実施するための最良の形態】
【００１３】
以下、図面を参照しつつ、本発明の実施の形態に係る買物用かごについて説明する。ここで、図１は本実施の形態に係る買物用かごを示す斜視図、図２は買物用かごの平面図である。
【００１４】
本実施の形態に係る買物用かご１１は、底面１２と底面１２の外縁部に立設された周壁部１３とから成るかご本体１４と、かご本体１４に枢設された２つの把手１５，１５’とから構成されており、把手１５，１５’を把持し易くするには把手１５，１５’の断面形状を円形にするのが好ましい。
【００１５】
かご本体１４は、上面が開口され、四隅が丸みを帯びた横長形状を成しており、その開口面は底面１２より広く、周壁部１３は上方に向かって外側に傾斜している。周壁部１３の長手方向の一側面１６の中央部には、凹部１７が内側に湾曲して形成されており、この凹部１７は円柱の側面の一部分のように滑らかな曲面を成している。そして、凹部１７及びその近傍部分は板材のような無孔部材から形成されており、凹部１７に対して腰や脚等、使用者の身体の部位が自然に滑って整合可能なようになっている。一方、周壁部１３の凹部１７及びその近傍部分以外の部分、及び底面１２は、多数の孔１８を備えた網目状を成している。
【００１６】
また、かご本体１４の一側面１６とその一側面１６に対向する側面１９との間には、２つの仕切壁２０が互いに平行を成すように渡設されており、各仕切壁２０の両端部は一側面１６及びその一側面１６に対向する側面１９の内面にそれぞれ上下方向に形成された案内溝部３２，３３に対して嵌脱自在となっている。そして、各仕切壁２０と互いに対向する各側面１６，１９とによりかご本体１４の中央部には、中央収容空間２１が形成されており、中央収容空間２１には凹部１７と仕切壁２０とにより鋭角に入隅部２４，２５が形成されている。
【００１７】
このように、かご本体１４の内部が仕切壁２０により仕切られることにより、中央収容空間２１の両側に商品を収容し易い略直方体の規則的な形状の収容空間２２，２３が形成されるため、買物用かご１１に商品を効率良く収容することができる。また、中央収納空間２１においては、鋭角な入隅部２４，２５が形成されることにより、瓶等の縦長形状の商品を起立姿勢で確実に保持することができるため、瓶等の割れ物を買物用かご１１内で転倒させることなく、安定性よく保持することができ、割れ物を破損させるおそれもなくなる。さらに、かご本体１４の中央部に中央収納空間２１を形成させることにより、買物用かごに商品をバランス良く収容させることができ、買物を快適に行うことができる。さらにまた、かご本体１４の周壁部１３が上方に向かって外側に傾斜していると共に、仕切壁２０が着脱自在となっているため、買物用かご１１を何重にも積重することができ、買物用かご１１を効率良く収納することができる。
【００１８】
また、把手１５，１５’のうちの一方の把手１５はその両端部２６，２７が一側面１６の凹部１７の上端部に枢設されており、他方の把手１５’はその両端部２８，２９が他方の側面１９の上端部であって、一方の把手１５の両端部２６，２７の枢設部に対応する位置に枢設されており、各把手１５，１５’はそれぞれかご本体１４の短手方向に沿って回動自在に設けられている。また、把手１５，１５’が枢設される一側面１６の凹部１７の上端部及び他方の側面１９の上端部は、それぞれ下方に凹んでおり、買物用かご１１を積重した時に、把手１５，１５’がかご本体１４に干渉しないようになっている。
【００１９】
このように、一方の把手１５の両端部２６，２７が一方の側面１６に枢設されると共に他方の把手１５’の両端部２８，２９が他方の側面１９に枢設されているため、使用者は、腕を捻ることなく、自然な姿勢で把手を握ることにより、凹部１７を身体の部位に整合させることができる。したがって、買物用かご１１の所持動作による使用者の疲労感を軽減させることができ、使用者は買物を快適に行なうことができる。また、把手１５，１５’が凹部１７に設けられているため、各把手１５，１５’同士の距離が短縮され、把手１５，１５’の把持動作を容易に行うことができ、使用者の負担を軽減することができる。
【００２０】
なお、上記実施の形態において、凹部１７は一側面１６にのみ形成されているが、図３に示すように、対向する側面１９にも凹部１７を形成させてもよい。この場合、中央収容空間２１には、四隅に鋭角な入隅部２４，２５，３０，３１が形成されるため、瓶等の縦長形状の商品を起立姿勢で一層確実に保持することができる。また、各把手１５，１５’間の距離が一段と短縮されるため、把手１５，１５’の把持動作をより容易に行なうことができ、使用者の負担を一層軽減することができる。
【００２１】
また、かご本体１４の形状は、上記した形状に限定されるものではなく、各種変更が可能であり、例えば、図４に示すように、平面形状が瓢箪状を成すように形成させてもよく、さらに、この平面形状に合わせて仕切壁２０を湾曲させてもよい。この場合には、かご本体１４の周壁部１３が一段と丸みを帯びるため、狭い場所等において買物する時に買物用かご１１が他人に接触したとしても、他人を傷つけたりすることがなく、買物を円滑に行なうことができ、また、買物用かごの美観を高めることができる。
【００２２】
さらにまた、仕切壁２０の設置位置は、各種変更が可能であり、凹部１７の幅を大きくし、その分、仕切壁２０を外側に移動させてもよい。また、予備の案内溝部３２，３３を設けておき、仕切壁２０の設置位置を変更可能なようにしてもよい。
【図面の簡単な説明】
【００２３】
【図１】本発明の実施の形態に係る買物用かごを示す斜視図である。
【図２】本発明の実施の形態に係る買物用かごを示す平面図である。
【図３】本発明の実施の形態に係る買物用かごの別の例を示す平面図である。
【図４】本発明の実施の形態に係る買物用かごのさらに別の例を示す平面図である。
【図５】従来例を示す斜視図である。
【符号の説明】
【００２４】
１１          買物用かご
１２          底面
１３          周壁部
１４          かご本体
１５，１５’  把手
１６          一側面
１７          凹部
１９          対向する側面
２０          仕切壁
２１          中央収容空間
２４          入隅部
２５          入隅部
３０          入隅部
３１          入隅部
【図１】
2006076595.tif 000003
【図２】
2006076595.tif 000004
【図３】
2006076595.tif 000005
【図４】
2006076595.tif 000006
【図５】
2006076595.tif 000007
【手続補正書】
【提出日】平成17年9月22日(2005.9.22)
【手続補正１】
【補正対象書類名】特許請求の範囲
【補正対象項目名】全文
【補正方法】変更
【補正の内容】
【特許請求の範囲】
【請求項１】
底面と該底面の外縁部に立設された周壁部とから成り、上面が開口されたかご本体と、該かご本体に枢設された把手とを備えた買物用かごであって、
前記周壁部の互いに対向する側面のうちの少なくとも一方の側面には、使用者の身体の部位が整合可能なように内側に湾曲した無孔部材から成る凹部が形成されており、前記対向する各側面の間には少なくとも２つの仕切壁が互いに平行に渡設され、該各仕切壁と前記対向する各側面とにより前記かご本体の中央部に中央収容空間が形成され、該中央収容空間には鋭角な入隅部が形成されており、前記把手は２つ設けられており、一方の把手はその両端部が前記対向する各側面のうちの一方の側面に枢設され、他方の把手はその両端部が前記対向する各側面のうちの他方の側面に枢設されており、少なくとも前記一方の把手は前記凹部に設けられていることを特徴とする買物用かご。